【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
−  実質的に垂直に直立しているフレーム部（１０）、または、壁もしくは天井に固定されることができるフレーム部（１０）と、
−  フレーム部（１０）に接続し、水平回転軸を中心にして回動可能なアーム構造部（１１）であって、
−  前記アーム構造部（１１）の両端部の実質的に第１の端部にＸ線源（１２）が配置され、実質的に第２の端部に画像データ受信手段（１８）が配置され、
−  実質的に前記画像データ受信手段（１８）の上に位置している下側トレイ構造部（１５）が追加的に前記アーム構造部（１１）の前記第２の端部に接続配置されている、アーム構造部（１１）と、
−  制御システムおよび前記制御システムに接続しているユーザインタフェース構成と、
−  少なくとも１つのスクリーン（１７）またはスクリーン（１７）を有するユーザインタフェースと、を有するマンモグラフィ機器（１）を有する、マンモグラフィ撮像装置であって、
前記少なくとも１つのスクリーン（１７）またはスクリーン（１７）を有するユーザインタフェースは、前記マンモグラフィ機器（１）の構造部に接続され、前記接続は、前記スクリーン（１７）またはスクリーン（１７）を有するユーザインタフェースの向きが少なくとも部分的に前記下側トレイ構造部（１５）方向に調整されているかまたは調整されることができるように実現され、前記スクリーン（１７）またはスクリーン（１７）を有するユーザインタフェースを外部の情報システムに機能的に接続する手段が前記マンモグラフィ機器（１）に配置されていることにより、前記情報システム内に記録されている以前の患者の画像が前記マンモグラフィ機器の前記構造部に接続されている前記スクリーン（１７）またはスクリーン（１７）を有するユーザインタフェース上に表示されることができる、マンモグラフィ撮像装置。
【請求項２】
前記装置には、乳房が前記下側トレイ構造部（１５）上に位置決めされている向きに対応する向きに、画像を前記スクリーン（１７）上に表示する手段が含まれている、請求項１に記載の装置。
【請求項３】
前記スクリーン（１７）またはスクリーン（１７）を有するユーザインタフェースは、前記マンモグラフィ機器（１）に、前記下側トレイ構造部（１５）から見て、前記マンモグラフィ機器（１）の両側面上の少なくとも一方に配置されている、請求項１または２に記載の装置。
【請求項４】
前記ユーザインタフェース構成は、少なくとも１つのスクリーン（１７）またはスクリーン（１７）を有するユーザインタフェースを備え、前記少なくとも１つのスクリーン（１７）またはスクリーン（１７）を有するユーザインタフェースは、
−  フレーム部（１０）にジョイント接合によって取り付けられているか、または、
−  前記スクリーン上の情報を視認することができる方向が調節される技術を用いて実装されているため、
前記少なくとも１つのスクリーン（１７）またはスクリーン（１７）を有するユーザインタフェースによって生成されたビューの向きは少なくとも、前記ビューの向きが前記下側トレイ構造部（１５）とは反対方向に調整されている第１の方向、および、前記ビューの向きが少なくとも部分的に前記下側トレイ構造部（１５）方向に調整されている第２の方向に調整されることができる、請求項１〜３のいずれか一項に記載の装置。
【請求項５】
前記少なくとも１つのスクリーン（１７）またはスクリーン（１７）を有するユーザインタフェースは、前記フレーム部（１０）にジョイント接合によって取り付けられ、前記ジョイント接合は、動力化されて実現され、前記制御システムは、少なくとも１つのオペレーションモードを含むように実現されることができ、前記少なくとも１つのオペレーションモードに従って、前記スクリーンによって生成されるビューの向きは、前記オペレーションモードが関連するオペレーション、または、前記制御システムによる前記スクリーン（１７）上への表示内容に応じて、前記オペレーションモードによってスクリーン（１７）用に決定されたポジションに自動的に変わる、請求項４に記載の装置。
【請求項６】
前記少なくとも１つのスクリーン（１７）またはスクリーン（１７）を有するユーザインタフェースは、前記フレーム部（１０）にジョイント接合によって取り付けられ、前記ジョイント接合は、前記スクリーン（１７）を、実質的に下側トレイ構造部（１５）近傍に、特に腕の長さの範囲内に近づけることができるように実装されている、請求項４または５に記載の装置。
【請求項７】
前記スクリーン（１７）またはスクリーン（１７）を有するユーザインタフェースの向きが前記第２のポジションに変わる時に、１つ以上のビューが自動的に前記スクリーン（１７）またはスクリーン（１７）を有するユーザインタフェース上に提示されるように前記制御システム内で定義されている、請求項４〜６のいずれか一項に記載の装置。
【請求項８】
前記スクリーン（１７）またはスクリーン（１７）を有するユーザインタフェースは、タッチスクリーン（１７）である、請求項１〜７のいずれか一項に記載の装置。
【請求項９】
前記スクリーン（１７）またはスクリーン（１７）を有するユーザインタフェース上に表示される前記患者の画像は、Ｘ線画像であり、当該Ｘ線画像は、このＸ線画像における検出結果に関するマーキングを含む、請求項１〜８のいずれか一項に記載の装置。
【請求項１０】
前記下側トレイ構造部（１５）方向に向きが調整されているカメラまたはビデオカメラ（１９）が前記マンモグラフィ機器の前記アーム構造部（１１）に接続配置されている、請求項１〜９のいずれか一項に記載の装置。
【請求項１１】
乳房をマンモグラフィ機器に位置決めするための方法であって、撮影された前記乳房の画像が前記乳房を位置決めするための補助として使用され、前記乳房の前記画像は、前記マンモグラフィ機器の外部の情報システム内に以前に記録された患者の画像であり、前記画像は、前記マンモグラフィ機器の構造部に取り付けられたスクリーン（１７）またはスクリーン（１７）を有するユーザインタフェース上に提示される、方法。
【請求項１２】
前記画像は、前記マンモグラフィ機器の撮像ステーションから視認される方向に提示される、請求項１１に記載の方法。
【請求項１３】
前記画像は、前記撮像ステーションの方向に、前記乳房が前記マンモグラフィ機器に対して位置決めされている向きに対応する向きに提示される、請求項１１に記載の方法。
【請求項１４】
フレーム部と、
前記フレーム部に、回転軸を中心にして回動可能に接続され、かつ、被験者の乳房の画像をＸ線撮影する撮像部および前記乳房を圧迫して位置決めする圧迫構造部を有するアーム構造部と、
情報を表示する表示部を有するユーザインタフェース装置と、
前記ユーザインタフェース装置を、以前に撮影された同一被験者の乳房の画像を記録する情報システムに機能的に接続する手段と、を有し、
前記表示部は、前記フレーム部の、前記アーム構造部の回動範囲内で前記アーム構造部と干渉しない位置に配置されており、
前記被験者によって視認可能な方向に向きを調整可能であり、かつ、
前記情報システムから取得された前記同一被験者の乳房の画像を表示する、
マンモグラフィ装置。
【請求項１５】
前記表示部によって表示される前記乳房の画像は、当該画像における検出結果に関するマーキングを含む、請求項１４に記載の装置。
【請求項１６】
前記表示部によって表示される前記乳房の画像は、Ｘ線画像である、請求項１４または１５に記載の装置。